【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
動作中に消費電力を生じる集積回路であり、前記消費電力は、第１及び第２の消費電力を含む集積回路と、
関連する消費電力を有する第１の電力の島を含む前記集積回路の複数の電力の島であり、前記第１の電力の島の前記関連する消費電力は、前記第２の消費電力である複数の電力の島と、
前記集積回路のニーズ及び動作に基づいて前記第１の消費電力を管理するように構成された第１の電力マネージャと、
第２の電力マネージャと
を有し、
前記第２の電力マネージャは、
a)前記第１の電力マネージャと通信し、
i)前記第１の電力の島のソース電圧を変更し、
ii)前記変更の後に、前記第１の電力の島の前記ソース電圧が落ち着くのを待機し、
iii)前記待機の後に、前記第１の電力の島のクロック周波数を変更することにより、
b)前記第１の電力の島の前記第２の消費電力を管理する要求に応答するように構成されるシステム。
【請求項２】
前記ソース電圧の前記変更は、前記ソース電圧を上げることであり、前記クロック周波数の前記変更は、前記クロック周波数を増加させることである、請求項１に記載のシステム。
【請求項３】
前記第２の電力マネージャは、前記第１の電力の島の前記クロック周波数を下げ、前記下げた後に、前記第１の電力の島の前記ソース電圧を減少させることにより、前記第１の電力の島の前記クロック周波数及び前記ソース電圧を減少させる他の要求に応答するように更に構成される、請求項２に記載のシステム。
【請求項４】
前記第１の電力マネージャは、前記要求を前記第２の電力マネージャに通信するように更に構成される、請求項１に記載のシステム。
【請求項５】
前記第２の電力マネージャは、前記第１の電力の島の前記クロック周波数を下げ、前記下げた後に、前記第１の電力の島の前記ソース電圧を減少させることにより、前記第１の電力の島の前記クロック周波数及び前記ソース電圧を減少させる他の要求に応答するように更に構成される、請求項１に記載のシステム。
【請求項６】
前記第１の電力の島の前記ソース電圧は、スマート電力ユニットにより制御される、請求項１に記載のシステム。
【請求項７】
前記第１の電力の島の前記ソース電圧は、外部レギュレータにより提供される、請求項１に記載のシステム。
【請求項８】
前記複数の電力の島は、第２の電力の島を含み、
前記第１の電力マネージャは、前記第１の電力の島と前記第２の電力の島との間の電力のトレードオフを決定するように更に構成される、請求項１に記載のシステム。
【請求項９】
前記第２の電力マネージャは、前記集積回路で処理可能なファームウェアを有する、請求項１に記載のシステム。
【請求項１０】
前記第２の電力マネージャは、電力管理ソフトウェアを実行するのに専用の電力管理プロセッサを有し、前記電力管理プロセッサは、前記集積回路内に存在する、請求項１に記載のシステム。
【請求項１１】
前記電力管理ソフトウェアは、前記集積回路の内蔵ファームウェアである、請求項１０に記載のシステム。
【請求項１２】
前記第１の電力マネージャは、前記集積回路の外部に存在する、請求項１に記載のシステム。
【請求項１３】
動作中に消費電力を生じる集積回路を含むシステムで実行される方法であり、前記消費電力は、第１及び第２の消費電力を含む方法であって、
第１の電力マネージャにおいて、前記集積回路のニーズ及び動作に基づいて第１の消費電力を管理するステップと、
前記集積回路の複数の電力の島のうち第１の電力の島にクロックを提供するステップであり、前記第１の電力の島は、前記第２の消費電力である関連する消費電力を有するステップと、
ソース電圧を前記第１の電力の島に提供するステップと、
第２の電力マネージャにおいて、前記第１の電力マネージャと通信し、前記第１の電力の島の前記ソース電圧を変更し、前記変更の後に、前記第１の電力の島の前記ソース電圧が落ち着くのを待機し、前記待機の後に、前記クロックのクロック周波数を変更することにより、前記第１の電力の島の前記第２の消費電力を管理する要求に応答するステップと
を有する方法。
【請求項１４】
前記ソース電圧の前記変更は、前記ソース電圧を上げることであり、前記クロック周波数の前記変更は、前記クロック周波数を増加させることである、請求項１３に記載の方法。
【請求項１５】
前記第２の電力マネージャにより受信された他の要求であり、前記クロックの前記クロック周波数を下げ、前記下げた後に、前記第１の電力の島の前記ソース電圧を減少させることにより、前記クロックの前記クロック周波数を減少させ、前記第１の電力の島の前記ソース電圧を減少させる他の要求に応答するステップを更に有する、請求項１４に記載の方法。
【請求項１６】
前記要求は、前記第１の電力マネージャにより前記第２の電力マネージャに通信される、請求項１３に記載の方法。
【請求項１７】
前記第２の電力マネージャにより受信された他の要求であり、前記クロックの前記クロック周波数を下げ、前記下げた後に、前記第１の電力の島の前記ソース電圧を減少させることにより、前記クロックの前記クロック周波数を減少させ、前記第１の電力の島の前記ソース電圧を減少させる他の要求に応答するステップを更に有する、請求項１３に記載の方法。
【請求項１８】
前記第１の電力の島の前記ソース電圧は、スマート電力ユニットにより制御される、請求項１３に記載の方法。
【請求項１９】
前記第１の電力の島の前記ソース電圧の外部レギュレータを提供するステップを更に有する、請求項１３に記載の方法。
【請求項２０】
前記複数の電力の島は、第２の電力の島を含み、
前記第１の電力マネージャは、前記第１の電力の島と前記第２の電力の島との間の電力のトレードオフを決定する、請求項１３に記載の方法。
【請求項２１】
第３の電力の島において、
a)前記消費電力のうち第３の消費電力を管理するステップであり、前記複数の電力の島は、前記第３の電力の島である関連する消費電力を有する第２の電力の島を含むステップと、
b)前記第１の電力マネージャと通信するステップと
を更に有する、請求項１３に記載の方法。
【請求項２２】
前記第２及び第３の電力マネージャは、同じ階層レベルに存在し、
前記第１の電力マネージャは、前記第２及び第３の電力マネージャに比べて高い階層レベルに存在する、請求項２１に記載の方法。
【請求項２３】
動作中に消費電力を生じる集積回路であり、前記消費電力は、第１及び第２の消費電力を含む集積回路と、
関連する消費電力を有する第１の電力の島を含む前記集積回路の複数の電力の島であり、前記第１の電力の島の前記関連する消費電力は、前記第２の消費電力である複数の電力の島と、
前記集積回路のニーズ及び動作に基づいて前記第１の消費電力を管理するように構成された第１の電力マネージャと、
第２の電力マネージャと
を有し、
前記第２の電力マネージャは、
a)前記第１の電力マネージャと通信し、
i)前記第１の電力の島のクロックを停止させ、
ii)前記第１の電力の島の状態を保存し、
iii)前記保存の後に、前記第１の電力の島の電力をオフにすることにより、
b)前記第１の電力の島の前記第２の消費電力を管理する要求に応答するように構成されるシステム。
【請求項２４】
前記第２の電力マネージャは、前記停止の後に、前記第１の電力の島の前記状態の前記保存を実行するように更に構成される、請求項２３に記載のシステム。
【請求項２５】
前記第１の電力マネージャは、前記要求を前記第２の電力マネージャに通信するように更に構成される、請求項２３に記載のシステム。
【請求項２６】
保存される前記状態を格納するバッファを更に有する、請求項２３に記載のシステム。
【請求項２７】
前記第２の電力マネージャは、
i)前記第１の電力の島の電力をオンにし、
ii)前記電力のオンの後に、前記第１の電力の島の前記状態を回復し、
iii)前記回復の後に、前記第１の電力の島の前記クロックを開始することにより、電力上昇状態に入る他の要求に応答するように更に構成される、請求項２３に記載のシステム。
【請求項２８】
保存される前記状態を格納するバッファを更に有し、前記バッファは、前記回復中にアクセス可能である、請求項２７に記載のシステム。
【請求項２９】
前記複数の電力の島は、第２の電力の島を含み、
前記第１の電力マネージャは、前記第１の電力の島と前記第２の電力の島との間の電力のトレードオフを決定するように更に構成される、請求項２３に記載のシステム。
【請求項３０】
前記第２の電力マネージャは、前記集積回路で処理可能なファームウェアを有する、請求項２３に記載のシステム。
【請求項３１】
前記第２の電力マネージャは、電力管理ソフトウェアを実行するのに専用の電力管理プロセッサを有し、前記電力管理プロセッサは、前記集積回路内に存在する、請求項２３に記載のシステム。
【請求項３２】
前記電力管理ソフトウェアは、前記集積回路の内蔵ファームウェアである、請求項３１に記載のシステム。
【請求項３３】
前記第１の電力マネージャは、前記集積回路の外部に存在する、請求項２３に記載のシステム。
【請求項３４】
動作中に消費電力を生じる集積回路を含むシステムで実行される方法であり、前記消費電力は、第１及び第２の消費電力を含む方法であって、
第１の電力マネージャにおいて、前記集積回路のニーズ及び動作に基づいて第１の消費電力を管理するステップと、
前記集積回路の複数の電力の島のうち第１の電力の島にクロックを提供するステップであり、前記第１の電力の島は、前記第２の消費電力である関連する消費電力を有するステップと、
第２の電力マネージャにおいて、前記第１の電力マネージャと通信し、前記クロックを停止させ、前記第１の電力の島の状態を保存し、前記保存の後に、前記第１の電力の島の電力をオフにすることにより、前記第１の電力の島の前記第２の消費電力を管理する要求に応答するステップと
を有する方法。
【請求項３５】
前記第１の電力の島の前記状態の前記保存は、前記停止の後に実行される、、請求項３４に記載の方法。
【請求項３６】
前記要求は、前記第１の電力マネージャにより前記第２の電力マネージャに通信される、請求項３４に記載の方法。
【請求項３７】
保存される前記状態は、バッファに格納される、請求項３４に記載の方法。
【請求項３８】
前記第２の電力マネージャにより受信された他の要求であり、
i)前記第１の電力の島の電力をオンにし、
ii)前記電力のオンの後に、前記第１の電力の島の前記状態を回復し、
iii)前記回復の後に、前記クロックを開始することにより、電力上昇状態に入る他の要求に応答するステップを更に有する、請求項３４に記載の方法。
【請求項３９】
保存される前記状態は、前記回復中にアクセスされるバッファに格納される、請求項３８に記載の方法。